(57)【要約】【課題】チップを安定した状態で収納することができる収納容器を提供すること。【解決手段】収納容器１０は、チップＣを収納可能な複数の下収納部１３を備えている。下収納部１３は、チップＣの基板Ｋが載置される載置面２９Ａを形成する膨出部２９と、この膨出部２９Ａを囲う位置に設けられた複数の突起体３０とを備え、これら突起体３０の先端側をチップＣの出し入れ口３１とする収納空間Ａ１を形成している。突起体３０は、載置面２９Ａに載置された前記基板Ｋの端面Ｋ１側に所定間隔を隔てて配置されている。隣り合う下収納部１３の間には突条体３４Ｂが設けられ、当該突条体３４Ｂにより、ピックアップ装置から収納空間Ａ１内に吐出されたエアが遮られて他の下収納部１３内に流れ込むことを抑制できる。【選択図】図１２
2007254010.tif 000002
【特許請求の範囲】
【請求項１】
チップを収納可能な複数の収納部を備えた収納容器において、
前記収納部は、チップの基板が載置される載置面と、この載置面に載置された前記基板の端面側に所定間隔を隔てて位置する複数の突起体とを備え、当該突起体の先端側を出し入れ口とする収納空間を形成し、
隣り合う収納部の間には防風手段が設けられていることを特徴とする収納容器。
【請求項２】
前記防風手段は、前記突起体間の隙間と、この隙間に近接する隣り合う収納部の突起体間の隙間との間に配置されていることを特徴とする請求項１記載の収納容器。
【請求項３】
前記防風手段は、載置面より前記出し入れ口側に突出する高さの突条体により形成されていることを特徴とする請求項１又は２記載の収納容器。
【発明の詳細な説明】
【技術分野】
【０００１】
本発明は、収納容器に係り、更に詳しくは、チップを安定して収納することができる収納容器に関する。
【背景技術】
【０００２】
従来より、ＢＧＡ型（ボールグリッドアレイ）やＣＳＰ型（チップサイズパッケージ）等のチップが普及するに至っており、このチップを搬送若しくは保管するために種々の収納容器が利用されている（例えば、特許文献１参照）。このような収納容器は、上部に出し入れ口を形成してチップを収納可能な複数の収納部を備えており、当該収納部としては、チップが載置される載置面と、載置されたチップの周りに立設する複数の突起体とにより収納空間を形成したタイプのものがある。ここで、収納部内にチップを収納する場合、先ず、所定のピックアップ装置によりチップを吸着して収納空間内にチップを配置する。その後、載置面にチップを載置する直前で、ピックアップ装置からエアを吐出して前記吸着を解除することにより、ピックアップ装置からチップを離して当該チップの収納が完了する。
【０００３】
【特許文献１】特開平１１−２５１４９３号公報
【発明の開示】
【発明が解決しようとする課題】
【０００４】
しかしながら、前記収納容器の収納部にあっては、隣り合う突起体との間に隙間が形成されるため、ピックアップ装置から吐出されるエアが前記隙間を通じて隣接する収納部に流れ込むこととなる。この結果、隣接する収納部内にチップが収納されている場合、そのチップがエアにより収納部の外部に吹き飛んだり、位置ずれして不完全な収納状態となるという不都合を招来する。
【０００５】
ここで、前記不都合が解消するため、前記エアの吐出圧を小さくしたり、隣り合う収納部の距離を大きくすることが考えられる。
ところが、前記エアの吐出圧を小さくした場合、近時におけるチップの小型化、薄型化の要請によりチップ自量が軽くなっているため、当該チップがピックアップ装置から離れ難くなる、という別異の不都合がある。また、隣り合う収納部の距離を大きくすると、収納容器の平面積が拡大化して収納性を損なう他、ピックアップ装置の移動距離が長くなり作業性が低下するという反射的不都合を生じる。
【０００６】
［発明の目的］
本発明は、このような不都合に着目して案出されたものであり、その目的は、チップを吸着保持するピックアップ装置を用いた場合であっても、チップを安定した状態で収納することができる収納容器を提供することにある。
【課題を解決するための手段】
【０００７】
前記目的を達成するため、本発明は、チップを収納可能な複数の収納部を備えた収納容器において、
前記収納部は、チップの基板が載置される載置面と、この載置面に載置された前記基板の端面側に所定間隔を隔てて位置する複数の突起体とを備え、当該突起体の先端側を出し入れ口とする収納空間を形成し、
隣り合う収納部の間には防風手段が設けられる、という構成が採用されている。
【０００８】
本発明において、前記防風手段は、前記突起体間の隙間と、この隙間に近接する隣り合う収納部の突起体間の隙間との間に配置される、という構成も好ましくは採用される。
【０００９】
また、前記防風手段は、載置面より前記出し入れ口側に突出する高さの突条体により形成される、という構成を採ることが好ましい。
【発明の効果】
【００１０】
本発明によれば、吸着によりチップを保持するピックアップ装置を利用したときに、チップを収納すべくピックアップ装置からエアを吐出しても、当該エアが防風手段で遮られて他の収納部内に流れ込むことを抑制することができる。これにより、従来のようなチップの位置ずれや飛び出しを防止でき、収納部内の所定位置にチップを安定して収納することが可能となる。しかも、従来のようにピックアップ装置からのエアの吐出圧を小さく設定する必要性を排除でき、ピックアップ装置からチップをスムースに離脱させて作業効率を良好に保つことが可能となる。
【００１１】
また、前述のような位置又は形状に防風手段を設けることにより、チップの安定的な収納状態をより良く保つことが可能となる。
【００１２】
なお、本明細書及び特許請求の範囲において、特に明示しない限り、「上」及び「下」は、図３及び図７を基準として用いる。
【発明を実施するための最良の形態】
【００１３】
以下、本発明の好ましい実施の形態について図面を参照しながら説明する。
【００１４】
図１には、実施形態に係る収納容器の平面図が示され、図２には、その底面図が示され、図３には、その正面図が示されている。また、図４には、図１の要部拡大斜視図が示されている。これらの図において、収納容器１０は、樹脂材料を用いた一体成形品により構成され、複数枚のチップＣ（図４参照）を同時に収納可能に設けられている。収納容器１０は、図１中縦方向及び横方向に沿って複数設けられた上収納部１１と、各上収納部１１の上側にそれぞれ位置するガイド部１２と、各上収納部１１の下方にそれぞれ設けられた下収納部１３と、各上収納部１１を相互に連結して一体化する板状の連結体１５と、この連結体１５の外周に形成された枠状体１６とを備えて構成されている。
【００１５】
前記チップＣは、本実施形態では、ＢＧＡ型若しくはＣＳＰ型等の面実装型とされる。具体的には、図５（Ａ）及び（Ｂ）に示されるように、平面形状が略正方形状をなす基板Ｋと、この基板Ｋの図５（Ａ）中下面から突出する多数の端子Ｂとを備えている。基板Ｋには、図示しない回路が形成されている。各端子Ｂは、略半球面状に形成された突起電極（半田バンプ）により構成されている。
【００１６】
前記上収納部１１は、図４に示されるように、基板Ｋを略水平方向に向け、且つ、各端子Ｂを下向きとしてチップＣを内部に収納可能に設けられている。上収納部１１は、図６ないし図８にも示されるように、連結体１５の上面から隆起するとともに、上方にチップＣの出し入れ口１８を形成する周壁部１９と、出し入れ口１８に連なって周壁部１９の内側に形成されるとともに、上下方向に沿って位置する起立部２０と、この起立部２０の下部に連設されて略水平となる載置部２２と、この載置部２２の内方端部から下方に延びる当接部２３と、この当接部２３の下端側に連なるとともに、連結体１５の上面と略同一面上に位置する底面部２４とを備え、出し入れ口１８の下方に収納空間Ａを形成する。上収納部１１を平面視したときに、出し入れ口１８、周壁部１９、起立部２０、載置部２２及び当接部２３の外形は、略正方形状すなわち基板Ｋと相似形となっている。起立部２０及び当接部２３は、上部が若干外側に傾斜する面により形成されている。また、底面部２４の面内には、上下に貫通する貫通穴２５が形成されている。
【００１７】
前記ガイド部１２は、図４、図６〜図１０に示されるように、出し入れ口１８の周辺領域すなわち前記周壁部１９の上面より立設された複数（本実施形態では六つ）の突起状部２７により構成されている。各突起状部２７は、出し入れ口１８を囲う位置に所定間隔を隔てて配置されている。具体的には、出し入れ口１８の一方の相対する端部すなわち図６中左右両端部の中央部と、他方の相対する端部すなわち同図中上下両端部の左右両側とにそれぞれ配置されている。
【００１８】
各突起状部２７の底部２７Ａは、平面形状が周壁部１９の外周と出し入れ口１８との間に延びる略長円状若しくは略長方形状に形成されている。一方、各突起状部２７の頂部２７Ｂは、平面視で前記底部２７Ａの領域内に収まるサイズの略円状若しくは略正方形状とされ、周壁部１９の外周よりに配置されている。また、底部２７Ａと頂部２７Ｂとの間における出し入れ口１８側には、略フラットとなる傾斜面２７Ｃが形成されている。この傾斜面２７Ｃは、その下端が出し入れ口１８に沿って位置するとともに、上方に向かうに従って出し入れ口１８から離れる方向に傾倒している。また、傾斜面２７Ｃは、下方に向かうに従って幅広の略台形となる面形状を備えている。
【００１９】
前記下収納部１３は、図６〜図１１に示されるように、連結体１５の下面から下方に膨出するとともに、略正方形の平面形状をなす膨出部２９と、この膨出部２９を囲う位置に設けられた複数（本実施形態では六つ）の突起体３０とを備え、これら突起体３０の先端側をチップＣの出し入れ口３１とする収納空間Ａ１を形成している。膨出部２９の下面は、前記上収納部１１の出し入れ口１８と略同一の平面サイズに形成されている。また、図１２に示されるように、膨出部２９の下面は、後述のように収納容器１０を上下反転させて上向きとされたときに、前記基板Ｋが載置される載置面２９Ａを形成している。
【００２０】
前記各突起体３０は、図１１及び図１２に示されるように、載置面２９Ａに載置された基板Ｋの端面Ｋ１側に所定間隔を隔てて設けられている。具体的には、各突起体３０は、膨出部２９の四隅付近及び図１１中上下両端部の中央部にそれぞれ配置され、隣り合う突起体３０の間に隙間を形成している。また、各突起体３０は、収納容器１０を平面視したときに、図６に示されるように隣り合う前記突起状部２７の間に位置するようになっている。更に、各突起体３０は、下方に向かうに従って先細となるテーパ面を備えた形状に設けられている。
【００２１】
前記連結体１５は、図１に示されるように、横長の長方形状に設けられている。連結体１５の下面における図２中上下両側領域であって、連結体１５を横方向に略三等分する位置には、複数の位置決め突部３３が設けられている。各位置決め突部３３は、その下端面が枠状体１６の下端面と略同一の高さとなるように形成されている。これにより、収納容器１０を搬送すべく、適宜な片状部材を介して下から持ち上げる場合、その片状部材が位置決め突部３３の下面と枠状体１６の下端面とに接するようになり、前記片状部材の向きと連結体１５の向きとを略平行に維持可能となる。
【００２２】
図２に示されるように、連結体１５の下面には、格子状リブ３４が垂下している。この格子状リブ３４は、縦及び横方向に隣り合う下収納部１３を連結するように配置された補強リブ３４Ａと、この補強リブ３４Ａの間に位置する防風手段を構成する突条体３４Ｂとを備えている。図７に示されるように、補強リブ３４Ａは、その下端面が前記載置面２９Ａより上方に位置する高さに設定されている。
【００２３】
突条体３４Ｂは、縦及び横方向に隣り合う下収納部１３の間に位置し、突起体３０間の隙間と、この隙間に近接する隣り合う下収納部１３の突起体３０間の隙間との間に配置される。突条体３４Ｂは、前記載置面２９Ａより下方に突出し、且つ、突起体３０の先端（下端）より下方に突出する高さに設けられ、突条体３４Ｂの下端面が前記位置決め突部３３の下端面よりは上方に位置するように設けられている。
【００２４】
前記枠状体１６は、図１３に示されるように、連結体１５の外周側から垂下する下部形成体３６と、この下部形成体３６の上部内側に立設された上部形成体３７とを備えている。下部形成体３６は、内周面が傾斜面とされるとともに、その下端面が前記突起体３０の下端より低くなるように設定されている。上部形成体３７は、外周面が傾斜面とされるとともに、その上端面が前記突起状部２７の頂部２７Ｂの高さと略同一に設定されている。ここで、図１４に示されるように、複数の収納容器１０を上下に積み重ねた場合、下部形成体３６の上部に、他の収納容器１０の下部形成体３６の下面が載置されるとともに、下部形成体３６及び上部形成体３７の前記各傾斜面が相対して嵌り合うようになる。図２中上下両側に位置する下部形成体３６の左右両側には、下向き凹状（図３参照）をなす切欠部３９がそれぞれ形成されている。また、枠状体１６の図３中左右両側には、正面視で鈎状をなすフック部４０が連なって設けられている。
【００２５】
以上の構成において、上収納部１１の収納空間Ａ内にチップＣを収納する場合、図４に示されるように、出し入れ口１８上方から図示しないピックアップ装置等を介してチップＣを落とし込めばよい。これにより、図６ないし図８に示されるように、当接部２３にチップＣの端子Ｂが当接し、チップＣが略水平方向に移動することが規制されるとともに、基板Ｋの端面Ｋ１と起立部２０とが非接触に保たれることとなる。
なお、前記ピックアップ装置としては、先端からエアを吸引することで基板を吸着保持可能な筒状体を備えたものが例示できる。
【００２６】
ここで、図１４に示されるように、上下に二つの収納容器１０を重ねたときに、下方に位置する収納容器１０（以下、「下収納容器１０Ａ」とする）の各突起状部２７の間に、上方に位置する収納容器１０（以下、「上収納容器１０Ｂ」とする）の突起体３０が入り込む。これにより、前記各突起状部２７及び突起体３０により筒状の周壁を形成するようになり、下収納容器１０Ａの上収納部１１が上収納容器１０Ｂの下収納部１３によって閉蓋されるようになる。
この状態で、下収納容器１０Ａの各上収納部１１にチップＣを収納し、各収納容器１０Ａ，１０Ｂを上下反転させると、前記各突起状部２７及び突起体３０の間を通過し、図１２に示されるように、端子Ｂを上向きとしてチップＣが上収納容器１０Ｂの下収納部１３内に受け渡される。これにより、下収納部１３の載置面２９ＡにチップＣの基板Ｋが載置され、当該基板Ｋが各突起体３０により横方向の移動が規制された状態で収納空間Ａ１内にチップＣが収納される。
【００２７】
図１２に示される状態で下収納部１３内にチップＣを収納する場合、前述の上収納部１１と同様に、ピックアップ装置等を介してチップＣを落とし込めばよい。具体的には、前記ピックアップ装置により基板Ｋを吸着して収納空間Ａ１内にチップを配置した後、載置面２９Ａに基板Ｋを載置する直前で、ピックアップ装置からエアを吐出して前記吸着を解除する。このとき、ピックアップ装置から基板Ｋ上にエアが吹き流れ（図１１及び図１５中、二点鎖線矢印参照）、各突起体３０の間の隙間から収納空間Ａ１の外部にエアが流れ出る。このエアは、前記隙間に近接する突条体３４Ｂに当たって遮られ、隣り合う下収納部１３の収納空間Ａ１内に流れ込むことを抑制可能となっている。
【００２８】
従って、このような実施形態によれば、隣り合う下収納部１３内にチップＣが収納されている場合であっても、前記エアによってチップＣが位置ずれしたり、下収納部１３から飛び出すことを防止でき、下収納部１３におけるチップＣの安定した収納を実現することが可能となる。これにより、突起体３０の突出高さを低くしたり、隣り合う下収納部１３，１３間の距離を短くしても、チップＣの収納安定性を良好に保つことができ、収納容器１０全体の薄型化やコンパクト化を図ることが可能となる。
しかも、前記エアの吐出圧を大きく設定しても、他の下収納部１３のチップＣの収納状態に影響を及ぼし難くなり、ピックアップ装置からチップＣを迅速且つスムースに離脱させることができる。これにより、チップＣのサイズや重量に応じて吐出圧を変更したり、ピックアップ装置の部品交換を省略でき、通電検査等のテスト工程における作業性を向上させることが可能となる。
【００２９】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施形態に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３０】
例えば、前記実施形態において、基板Ｋの平面形状は、略長方形状にする等、種々の変更が可能であり、これに応じて各収納部１１，１３の形状、サイズを変更すればよい。
また、防風手段は、格子状の突条体３４Ｂに限られず、隣り合う下収納部１３，１３における突起体３０間の隙間を通じるエアを遮断可能に設けられる限りにおいて、形状や形態を適宜変えてもよい。例えば、突条体３４Ｂの格子点を除去したもの、もしくは格子点を削り落とし、交差する一方もしくは両方の突条体３４Ｂの高さを低くしたものでもよい。また、突条体３４Ｂは、収納容器１０を積み重ねた際に上下の収納容器１０が接触しない範囲において、その位置をチップ載置面２９Ａにずらしてもよく、その場合は突条体３４Ｂを隣接するチップＣで共用しないで、チップＣ間に二列配置されるようにしてもよい。
更に、上収納部１１や下収納部１３の設置数は、図示構成例に限られるものでなく、複数であれば必要に応じて増減してもよい。
【００３１】
また、収納容器及び収納部の変形例として、図１６及び図１７に示す構成が例示できる。同図において、収納容器５０は、上面が略フラットとなる載置面５１上に複数の収納部５２を備えている。各収納部５２は、載置面５１から立設して平面視略三角形状をなす複数の突起体５３をそれぞれ備え、突起体５３の上端側を出し入れ口５５とするチップＣの収納空間を形成している。突起体５３は、前記収納空間内のチップＣを囲うように所定間隔毎に配置されている。図１７中上下方向又は左右方向に隣り合う収納部５２の間には、短辺状をなす防風手段５７がそれぞれ立設しており、当該防風手段５７により、前記突条体３４Ｂと同様に、ピックアップ装置から吐出されるエアが突起体５３間の隙間を通じて他の収納部５２内に流れ込むことを抑制可能となっている。
【図面の簡単な説明】
【００３２】
【図１】実施形態に係る収納容器の概略平面図。
【図２】図１の底面図。
【図３】図１の正面図。
【図４】図１の要部拡大斜視図。
【図５】（Ａ）は、チップの正面図、（Ｂ）は、その平面図。
【図６】図４の平面図。
【図７】図６のＡ−Ａ線に沿う断面図。
【図８】図６のＢ−Ｂ線に沿う断面図。
【図９】図６のＣ−Ｃ線に沿う断面図。
【図１０】図６のＤ−Ｄ線に沿う断面図。
【図１１】図３を一部拡大した底面図。
【図１２】収納容器を上下反転させた状態の図７と同様の断面図。
【図１３】図２のＥ−Ｅ線に沿う一部拡大断面図。
【図１４】二つの収納容器を重ねた状態を示す図１３と同様の断面図。
【図１５】下収納部におけるチップの収納状態を説明するための断面図。
【図１６】変形例に係る収納容器の概略斜視図。
【図１７】図１６の平面図。
【符号の説明】
【００３３】
１０，５０・・・収納容器、１３・・・下収納部、２９Ａ，５１・・・載置面、３０，５３・・・突起体、３１，５５・・・出し入れ口、３４Ｂ・・・突条体（防風手段）、５１・・・収納部、５７・・・防風手段、Ａ１・・・収納空間、Ｃ・・・チップ、Ｋ・・・基板
【図１】
2007254010.tif 000003
【図２】
2007254010.tif 000004
【図３】
2007254010.tif 000005
【図４】
2007254010.tif 000006
【図５】
2007254010.tif 000007
【図６】
2007254010.tif 000008
【図７】
2007254010.tif 000009
【図８】
2007254010.tif 000010
【図９】
2007254010.tif 000011
【図１０】
2007254010.tif 000012
【図１１】
2007254010.tif 000013
【図１２】
2007254010.tif 000014
【図１３】
2007254010.tif 000015
【図１４】
2007254010.tif 000016
【図１５】
2007254010.tif 000017
【図１６】
2007254010.tif 000018
【図１７】
2007254010.tif 000019